(57)【要約】【課題】  簡単に軒樋の集水口のみに取付け、取外しができ、構造が簡単で加工性に優れた雨樋のごみ侵入防止装置を提供することである。【手段】  集水口２を形成した軒樋１と、上記軒樋１の下部に上記集水口２に対向して取付けた集水器３と、上記集水口２に対向して上記軒樋１上に取付けたごみ侵入防止具Ｂとを備えた雨樋のごみ侵入防止装置において、上記ごみ侵入防止具Ｂはドーム状に成形した金網４と、上記金網４を上記軒樋１に着脱自在に取付ける止め具５とで構成したことを特徴とする。【選択図】  図１
0003215255.tif 000002
【実用新案登録請求の範囲】
【請求項１】
集水口（２）を形成した軒樋（１）と、上記軒樋（１）の下部に上記集水口（２）に対向して取付けた集水器（３）と、上記集水口（２）に対向して上記軒樋（１）上に取付けたごみ侵入防止具（Ｂ）とを備えた雨樋のごみ侵入防止装置において、
上記ごみ侵入防止具（Ｂ）はドーム状に成形した金網（４）と、上記金網（４）を上記軒樋（１）に着脱自在に取付ける止め具（５）とで構成したことを特徴とする雨樋のゴミ侵入防止装置。
【請求項２】
上記金網（４）は水平な環状枠（６）と、上記環状枠（６）上に取付けた一つ又は複数のアーチ状の横枠（７）と、上記環状枠（６）上に上記横枠（７）とクロスさせながら取付けたアーチ状の縦枠（９）と、上記横枠（７）と上記縦枠（９）とにそれぞれ取付けた網体（８）と、上記縦枠上に起立させた一対のフック（９Ａ）、（９Ｂ）とから構成され、    
上記止め具（５）は一対のばね片（５Ａ）、（５Ｂ）と、各ばね片（５Ａ）、（５Ｂ）の下端にそれぞれ設けた引掛け片（６Ａ）、（６Ｂ）とで構成され、
上記金網（４）を上記集水口（２）に対向させて上記軒樋（１）上に置き、上記各引掛け片（６Ａ）、（６Ｂ）を上記集水口（２）の口縁に引掛け、上記各ばね片（５Ａ）、（５Ｂ）を上記網体（８）の穴を貫通させて上記各フック（９Ａ）、（９Ｂ）に着脱自在に引掛けることを特徴とする請求項１に記載の雨樋のごみ侵入防止装置。
【請求項３】
上記金網（４）は水平な環状枠（６）と、上記環状枠（６）上に取付けた一つ又は複数のアーチ状の横枠（７）と、上記環状枠（６）上に上記横枠（７）とクロスさせながら取付けたアーチ状の縦枠（９）と、上記横枠（７）と上記縦枠（９）とにそれぞれ取付けた網体（８）とから構成され、
上記止め具（５）は両端にフック（１１）を備えた弾性なバンド（１０）で構成され、上記金網（４）を上記集水口（２）に対向させて上記軒樋（１）上に置き、上記バンド（１０）で上記金網（４）を押え込みながら上記フック（１１）を上記軒樋（１）の両側縁（１Ｂ）、（１Ｂ）に引掛けることを特徴とする請求項１に記載の雨樋のゴミ侵入防止装置。
【考案の詳細な説明】
【技術分野】
【０００１】
本考案は、雨樋のごみ侵入防止装置に関し、特に集水器の入り口に落ち葉等のごみが侵入するのを防止する雨樋のごみ侵入防止装置に関する。
【背景技術】
【０００２】
一般に住宅等の軒下には屋根面を流れる雨水を集めて地上あるいは下水に導く雨樋が設けられている。
【０００３】
この雨樋は屋根面の下部に沿って水平に設けた軒樋と、軒樋の途中に結合した集水器と、集水器にエルボを介して下方に向けて接続した竪樋
から構成されているのが普通である。
【０００４】
ところが、この雨樋では樹木からの落ち葉等のごみが風等で飛散されて軒樋の集水口周辺に集まり、又は軒樋を流れながら集水口周辺に溜まる場合がある。
【０００５】
このような場合は集水口が溜まったごみで塞がれ集水器から地上や下水に雨水を排出できなくなり、その結果雨樋全域に雨水が溜まり途中からあふれ出る恐れがある。
【０００６】
この為、従来下記の特許文献１、特許文献２に開示されているような雨樋保護具や目詰まり防止ネットが開発され、これらの器具で雨樋の集水口へのごみの侵入の防止が図られている。
【０００７】
特許文献１に開示された雨樋保護具は軒樋と集水器の開口部全域に金網状の保護具を設けて雨樋全域にごみが侵入しないようにしたものである。
【０００８】
特許文献２に開示されている目詰まり防止ネットは十字状に成形した金網と、この金網に取付けた針金とで構成し、金網の上下の部分は集水器の集水口にかぶせ、左右の部分は勾配を持たせながら軒樋の開口部にかぶせて軒樋に針金で固定するものである。
【０００９】
これにより、集水器とこの集水器の近辺が落ち葉等のごみで目詰まりが起こらないようにしたものである。
【先行技術文献】
【特許文献】
【００１０】
【特許文献１】特開２００４−１００３８６号公報  図１、要約参照
【特許文献２】特開平１０−２０５０８３号公報  図２、要約参照
【考案の概要】
【考案が解決しようとする課題】
【００１１】
しかしながら、特許文献１、特許文献２に開示されている雨樋保護具や目詰まり防止ネットは特に欠陥が有るわけでは無いが、次のような不具合の改善が望まれている。
【００１２】
即ち、特許文献１に開示されている雨樋保護具は軒樋と集水器の開口部全域に金網状の保護具を設けているので保護具全体が長く、構造が複雑で製造コストが嵩む。
【００１３】
また装置全体が長いので取付け、取り外し作業が面倒で、作業性に劣るものである。
【００１４】
また、特許文献２に開示されている目詰まり防止ネットは金網が十字状になっているのでその都度上下部分を折り曲げて集水器にかぶせ、次いで針金で固定する必要があり、取付け、取外しの作業が面倒である。
【００１５】
又、前後の部分も勾配を持たせながら軒樋にかぶせ、針金で固定する必要があるからその取付け、取外しの作業が面倒である。
【００１６】
そこで、本考案の目的は、簡単に軒樋の集水口のみに取付け、取外しができ、構造が簡単で加工性に優れた雨樋のごみ侵入防止装置を提供することである。
【課題を解決するための手段】
【００１７】
上記の目的を達成する為、本考案の手段は、  集水口を形成した軒樋と、上記軒樋の下部に上記集水口に対向して取付けた集水器と、上記集水口に対向して上記軒樋上に取付けたごみ侵入防止具とを備えた雨樋のごみ侵入防止装置において、
上記ごみ侵入防止具はドーム状に成形した金網と、上記金網を上記軒樋に着脱自在に取付ける止め具とで構成したことを特徴とする。
【考案の効果】
【００１８】
本考案によれば、次の効果を達成できる。
Ａ）ごみ侵入防止具はドーム状に成形した金網と、金網を軒樋に着脱自在に取付ける止め具とからなる二つの部材のみで構成されているから構造が簡単で、部品点数が少なく、加工性の向上を図れ、持ち運びも容易である。
Ｂ）金網を集水口上に配置させるだけで集水口に落ち葉等のごみが侵入するのを防止できる。
仮に金網上にごみが溜まっても風等で飛ばされてしまうので雨樋全域にわたってごみの浸入を防止させる装置を設ける必要が無く、経済性に優れている。
Ｃ）金網は止め具で固定できるから金網の取付け、取り外しが簡単であり、素人でも取付け、取り外し、メンテナンスの作業が可能である。
【図面の簡単な説明】
【００１９】
【図１】本考案の一実施の形態に係る雨樋のごみ侵入防止装置の分解斜視図である。
【図２】ごみ侵入防止具を雨樋に取付けた状態の斜視図である。
【図３】図２のＡ−Ａ線縦断側面図である。
【図４】図２のＢ−Ｂ線縦断正面図である。
【図５】他の実施の形態に係る雨樋のごみ侵入防止装置の斜視図である。
【図６】図５のＹ−Ｙ線縦断正面である。
【考案を実施するための形態】
【００２０】
本考案は、集水器の入り口に落ち葉等のごみが侵入するのを防止する雨樋のごみ侵入防止装置に関するものである。
すなわち、住宅等の軒下には公知のように屋根面を流れる雨水を集めて地上あるいは下水に導く雨樋が設けられているが、本考案はこの雨樋の集水口にごみが侵入するのを防止する雨樋のごみ侵入防止装置に関するものである。
以下本考案の一実施の形態を図１〜図４に基づいて詳細に説明する。
雨樋Ａは図１に示すように、住宅の屋根面の下部に沿って水平に設けた軒樋１と、軒樋１の途中下部に結合した集水器３と、集水器３に直接又は屈曲したエルボを介して下方に向けて接続した竪樋３Ｄとから構成されている。
軒樋１は断面半円状の長尺フレーム１Ａと、フレーム１Ａの途中に形成した集水口２と、フレーム１Ａの両側に長手方向に沿って形成した側縁１Ｂ、１Ｂとで構成されている。
集水器３は上方に開口する箱状の本体３Ａと、本体３Ａの中央に形成した前後一対の湾状の受部３Ｂと、左右上端に形成した引掛け片３Ｃ、３Ｃとで構成されている。
集水器３は軒樋１の下部に集水口２に対向して取付けられ、下部には竪樋３Ｄが差し込まれている。
この場合、軒樋１の長尺フレーム１Ａが集水器３の受部３Ｂに嵌合して支持され、集水器３の引掛け片３Ｃ、３Ｃを軒樋１の側縁１Ｂ、１Ｂにそれぞれ引っ掛けて軒樋１に集水器３を結合している。
この結果、住宅の屋根面から流れた雨水が軒樋１内に落下して流れ、更に集水口２から集水器３、竪樋３Ｄを介して地上又は下水に排水されるようになっている。
そして、後述するように、本考案では、軒樋１上に集水口２に対向して金網４等からなるごみ侵入防止具Ｂが取り付けられているので軒樋１上に飛散した落ち葉等のごみや屋根面から流れたごみは集水口２に侵入するのが防止されて、目詰まりが防止される。
【００２１】
雨樋のごみ侵入防止装置の基本は集水口２を形成した軒樋１と、軒樋１の下部に集水口２に対向して取付けた集水器３と、集水口２に対向して軒樋１上に取付けたごみ侵入防止具Ｂとを備えたものである。
そして、ごみ侵入防止具Ｂの基本構造はドーム状に成形した金網４と、金網４を軒樋１に着脱自在に取付ける止め具５とで構成されている。
【００２２】
金網４は番線で成形された楕円状、円形状、又は矩形状の水平な環状枠６と、環状枠６上に取付けた一つ又は複数のアーチ状の横枠７と、環状枠６上に横枠７とクロスさせながら取付けたアーチ状の縦枠９と、横枠７と縦枠９とにそれぞれ取付けた網体８と、縦枠９上の前後に起立させた一対のフック９Ａ、９Ｂとから構成されている。
【００２３】
この場合、横枠７の前後下部には図３に示すように金網状の邪魔板Ｐを設けて長尺フレーム１Ａの上面に当接させ、前後の隙間を塞ぐのが好ましい。
【００２４】
上記横枠７、縦枠９も太い番線で成形されているが板状の部材で成形しても良い。
【００２５】
フック９Ａ、９Ｂは縦枠９の一部を屈曲してカール状に成形しているが、別の円形やＣ字状に成形したフック部材を溶接等で結合しても良い。
【００２６】
網体８は公知のように金属製の細い番線を編んで成形されているが、メッシュの細かい孔を備えた板材で成形しても良く、網目模様の布で成形しても良い。
【００２７】
網体８のメッシュは細かいのが好ましいが、雨水の流れに影響を与えなければその大きさは制限されない。
横枠７と縦枠９は網体８を補強するもので、これらの横枠７と縦枠９の上部又は下部に網体８を針金、紐、溶接等で固定して全体がドーム状の金網４を構成させている。
網体８が太くて頑丈な番線で成形した場合は横枠７や縦枠９は設けなくても使用可能である。
止め具５は一対の番線で成形したばね片５Ａ、５Ｂと、各ばね片５Ａ、５Ｂの下端にそれぞれ設けた引掛け片６Ａ、６Ｂとで構成されている。
ばね片５Ａ、５Ｂと引掛け片６Ａ、６Ｂは板状であっても良い。
使用時には、図１、図２に示すように、金網４を集水口２に対向させて軒樋１上に前後に沿って置き、次に、各引掛け片６Ａ、６Ｂを集水口２の口縁に引掛け、各ばね片５Ａ、５Ｂを網体８の穴を貫通させて各フック９Ａ、９Ｂに着脱自在に引掛けるようにしている。
この場合、邪魔板Ｐを設けた場合は前後の隙間が塞がれて雨水以外のごみの侵入が防止される。
なお、前後の隙間を塞ぐ場合、邪魔板Ｐを使用せずに環状枠６を下方に屈曲させて長尺フレーム１Ａ上に当接しても良い。
【００２８】
更に、引掛け片６Ａ、６Ｂはバネ性があるのでフック９Ａ、９Ｂに差し込んで係合させるだけでも良いが、屈曲して搦め手も良い。
止め具５は前後一対設けられているので、金網４の前後部分がこれらの止め具５で弾性的に押え込まれ、軒樋１上に集水口２に対向しながら保持される。
その結果、風等で落ち葉その他のごみが軒樋１上に落下し、或いは、屋根から雨水と一緒に軒樋１上にごみが落下してこれらのごみが集水口２付近に溜まっても、このごみは金網４で堰き止められ、この金網４上に溜まるだけで集水器３側には流れない。
従って、集水口２へのごみの侵入が防止され、目詰まりを防止できるので雨水をスムースに地上や下水に流出できる。
図５、図６は本考案の他の実施の形態に係る雨樋のごみ侵入防止装置を示す。
この実施の形態は止め具の構造を変更したもので、金網４その他の構成は図１の実施の形態と同じである。
この実施の形態に係る止め具５は両端にフック１１を備えた弾性なバンド１０で構成されたものである。
この実施の形態では、図１の実施の形態と同じように、金網４を集水口２に対向させて軒樋１上に置く。
この状態で、バンド１０で金網４を押え込みながらフック１１を軒樋１の両側縁１Ｂ、１Ｂに引掛けるものである。
この実施の形態では、軒樋１上に置かれた金網４をバンド１０で押えこみながらバンド１０のフック１１を軒樋１の両側縁１Ｂに引掛けるだけで金網４を保持できるので金網の取付け、取り外し作業が簡単である。
【００２９】
本考案の各実施の形態に係る雨樋のごみ侵入防止装置によれば次の効果を達成できる。
【００３０】
即ち、ごみ侵入防止具はドーム状に成形した金網と、金網を軒樋に着脱自在に取付ける止め具とからなる二つの部材のみで構成されているから構造が簡単で、部品点数が少なく、加工性の向上を図れ、持ち運びも容易である。
【００３１】
また、金網を集水口上に配置させるだけで集水口に落ち葉等のごみが侵入するのを防止でき、仮に金網上にごみが溜まっても風等で飛ばされてしまうので雨樋全域にわたってごみの浸入を防止させる装置を設ける必要が無く、経済性に優れている。
【００３２】
さらに、金網は止め具で固定できるから金網の取付け、取り外しが簡単であり、素人でも取付け、取り外し、メンテナンスの作業が可能である。
【符号の説明】
【００３３】
１  軒樋
１Ａ  フレーム
１Ｂ  側縁
２  集水口
３  集水器
３Ａ  本体
３Ｂ  受部
３Ｃ  引掛け片
３Ｄ  竪樋
４  金網
５  止め具
５Ａ、５Ｂ  ばね片
６  環状枠
６Ａ、６Ｂ  引掛け片
７  横枠
８  網体
９  縦枠
９Ａ、９Ｂ  フック
１０  バンド
１１  フック
Ａ  雨樋
Ｂ  ごみ侵入防止具
Ｐ  邪魔板
【図１】
0003215255.tif 000003
【図２】
0003215255.tif 000004
【図３】
0003215255.tif 000005
【図４】
0003215255.tif 000006
【図５】
0003215255.tif 000007
【図６】
0003215255.tif 000008